(57)【特許請求の範囲】
【請求項１】
切り花を、アースされている水と接触させる切り花の開花補強方法であって、  前記切り花の周囲及び前記切り花と接触する水に対して、前記切り花の周囲及び前記水に向けて電圧の印加により機械的に電気的刺激を供給することを目的としない環境で前記切り花を前記水と接触させる開花補強方法。
【請求項２】
切り花と接触させるための水の供給部と、前記水をアースするためのアース部とを備え、前記切り花の周囲及び前記切り花と接触する水に対して、前記切り花の周囲及び前記水に向けて電圧の印加により機械的に電気的刺激を供給することを目的とする部位を有しない請求項１記載の方法のための切り花の開花補強装置。
【請求項３】
前記アース部が、前記水と接触する導体部、前記導体部とアース用端子とを接続するための導線部を備える請求項２記載の切り花の開花補強装置。
【発明の詳細な説明】
【技術分野】
【０００１】
本発明は、切り花の開花補強装置及び開花補強方法に関する。
【背景技術】
【０００２】
切り花は、住宅、飲食店、集会用ホール、オフィス等の住・作業環境を快適にするための装飾に広く利用されており、切り花の在庫管理、生け花等による装飾の維持管理のために、種々の方法が提案されている。
【０００３】
例えば、特許文献１には、生花等の植物の鮮度保持をするための植物の保存装置として、
保存庫と前記保存庫内の空気に陰電子を供給する陰電子供給装置とを備え、生花等の植物の下端部を浸す水を入れるための容器が、前記保存庫内に配置され、接地線を介して接地された電極部が、前記容器内に配置されたことを特徴とする保存装置が開示されている。
【先行技術文献】
【特許文献】
【０００４】
【特許文献１】特開２００９−２５４２５５号公報
【発明の概要】
【発明が解決しようとする課題】
【０００５】
しかし、特許文献１に開示されている装置では、植物が浸漬された容器全体を格納する保存庫と、この保存庫の内部の空気に陰電子を供給するための電子装置が必要であるため、装置の製造又は購入費用及びメンテナンス費用がかかり、植物が多量である場合に大型の保存庫が必要となるか多数の保存庫を用意する必要がありこれらの費用が嵩むだけでなく、上述した住・作業空間における装飾用途の場合には、植物が浸漬された容器を格納したままで保存庫を使用することは切り花そのものの鑑賞性を阻害するおそれがある。
【０００６】
本発明は、切り花の開花を促進できる簡易な切り花の開花補強方法、及び、当該方法のための簡易な切り花の開花補強装置を提供することを課題とする。
【課題を解決するための手段】
【０００７】
本発明は、
〔１〕開放系において、切り花を、アースされている水と接触させる切り花の開花補強方法、及び
〔２〕切り花と接触させるための水の供給部と、前記水をアースするためのアース部とを備える、前項〔１〕記載の方法のための切り花の開花補強装置である。
【発明の効果】
【０００８】
本発明によれば、切り花の開花を促進できる簡易な切り花の開花補強方法、及び、当該方法のための簡易な切り花の開花補強装置を提供することができる。
【図面の簡単な説明】
【０００９】
【図１】切り花（１）に接触水させるため水（２）を充填するための水槽（３）、一端（７１）が水（２）に浸漬するための球体形状を有し、他の一端（７２）に大地（Ｅ）に設置されているアース用端子（１０）の受けプラグに差込むための差込みプラグ（８２）が設けられた導線（７）とから構成される、水供給部及びアース部を備える本発明の開花補強装置と、この開花補強装置を適用したアース態様を有する開花補強方法の１例の断面の模式図。
【図２】図１の開花補強装置において、さらに、水槽（３）の底部に配置される、切り花（１）を水（２）中で固定させるための導体である剣山（５ａ）を備え、導線（７）の一端（７１）が剣山（５ａ）に接続できるように（例えば磁性体で又は紐状に）構成されている水供給部と、アース部（導体部及び導線部）とを備える本発明の開花補強装置と、この開花補強装置を適用したアース態様を有する開花補強方法の１例の断面の模式図。
【図３】図１の開花補強装置において、導線（７）の一端（７１）に差込みプラグ（８１）が設けられ、水槽（３）の水（２）と接触できる底部近傍が、差込みプラグ（８１）の受けプラグ（９１）備える導体（５）で構成されている、水供給部、アース部（導体部及び導線部）を備える本発明の開花補強装置と、この開花補強装置を適用したアース態様の開花補強方法の１例の断面の模式図。
【図４】図３の開花補強装置において、導体（５）と導線（７）の一端（７１）が一体化している水供給部と、アース部（導体部及び導線部）とを備える本発明の開花補強装置と、この開花補強装置を適用したアース態様を有する開花補強方法の１例の断面の模式図。
【図５】図３の開花補強装置において、一部が導体（５）で構成された水槽（３）が、全体が導体で構成された導体水槽（５ｂ）に置き換えられた、水供給部と、アース部（導体部及び導線部）とを備える本発明の開花補強装置と、この開花補強装置を適用したアース態様を有する開花補強方法の１例の断面の模式図。
【図６】図４の開花補強装置において、一部が導体（５）で構成された水槽（３）が、全体が導体で構成された導体水槽（５ｂ）に置き換えられた、水供給部と、アース部（導体部及び導線部）とを備える本発明の開花補強装置と、この開花補強装置を適用したアース態様を有する開花補強方法の１例の断面の模式図。
【図７】切り花に接触させるための水（３）を充填するための小型水槽（３ａ）と、水溜部（４）を構成する、受けプラグを備える全体が導体で構成された導体大型水槽（５ｃ）と、小型水槽（３ａ）と導体大型水槽（５ｃ）とを連結する導体連通管（５ｄ）とから構成される、本発明の開花補強装置における水供給部と導体部の１例の断面の模式図。
【図８】花瓶として使用でき水供給部と導体部とが一体となっている導体水槽（５ｄ）である本発明の開花補強装置における水供給部及び導体部の１例の断面の模式図。
【図９】図３における受けプラグ（９２）を備える一部が導体（５）で構成された花瓶の外形を有する水槽（３）と、水槽（３）に内挿でき、内挿したときに導体（５）と接触できるように構成された導体水槽（５ｂ）とで構成される本発明の開花補強装置における水供給部及び導体部の１例の断面の模式図。
【図１０】図３の開花補強装置において、一部が導体（５）で構成された水槽（３）が、  底部が導体（５）で構成された花瓶の外形を有する水槽（３）と、  水槽（３）を置いた時に、導体（５）に接触する導体端部（５２Ｅ）と受けプラグ（９２）とを備えるプレート状の導体（５２）を備えるプレート（６）とで構成される水供給部及び導体部に置き換えられた、  水供給部及びアース部（導体部及び導線部）を備える本発明の開花補強装置と、  この開花補強装置を適用したアース態様を有する開花補強方法の１例の断面の模式図。
【図１１】図２の開花補強装置において、  剣山（５ａ）が楕円プレート状の導体（５ｅ）に置き換えられ、  導線が二股に分岐し、導線（７）の他の一端の一方（７２）に差込みプラグ（９１）が設けられ、導線（７）の他の一端の他方（７２Ｅ）が大地（Ｅ）に直接接地できるように構成されている本発明の開花補強装置と、この開花補強装置を適用したアース態様の開花補強方法の１例の断面の模式図。
【図１２】実施試験系１及び比較試験系１における２０１５年３月１９日のユリの状態である。左のペットボトル（水供給部）はアースがされておらず（比較試験系１）、右のペットボトル（水供給部）はアースがされている（実施試験系１）。あああ
【図１３】実施試験系１及び比較試験系１における２０１５年４月６日のユリの状態である。左のペットボトル（水供給部）はアースがされておらず（比較試験系１）、右のペットボトル（水供給部）はアースがされている（実施試験系１）。
【図１４】実施試験系１における２０１５年４月６日のユリの状態である。
【図１５】比較試験系１における２０１５年４月６日のユリの状態である。
【図１６】実施試験系１及び比較試験系１における２０１５年４月１２日のユリの状態である。左のペットボトル（水供給部）はアースがされておらず（比較試験系１）、右のペットボトル（水供給部）はアースがされている（実施試験系１）。
【発明を実施するための形態】
【００１０】
〔切り花〕
本発明における切り花としては、花が咲く種子植物でも、シダ植物、コケ植物及び藻類等の花が咲かない植物にも適用できるが、装飾用途の観点から、種子植物に適用することが好ましい。
【００１１】
本発明では、種子植物としては、子房を有する被子植物でも、マツ、スギ、イチョウ及びソテツ等の子房を有さない裸子植物でもよいが、装飾用途に広く使用される被子植物が好ましい。
【００１２】
本発明では、被子植物としては、子葉が２枚の双子葉類でも、イネ、トウモロコシ、ツユクサ、アヤメ及びユリ等の子葉が１枚の単子葉類でもよい。
【００１３】
本発明では、双子葉類としては、タンポポ、ツツジ及びアサガオ等の花びらが４又は５枚である場合が多い合弁花でも、サクラ、アブラナ及びエンドウ等の花びらが３又は６枚の場合が多い離弁花でもよい。
【００１４】
本発明は、好ましくは、上述した好適な花の茎又は花を付けた枝を切った切り花を、商品として保存・展示したり、装飾として目視できる状態で設置したりする際に適用され、より好ましくは、装飾として目視できる状態で設置する際に適用される。
【００１５】
本発明によれば、
まだ開花していない切り花に本発明を適用すると、切り花の開花時期が早まり、さらに開花したときの花びらの開花の角度が大きくなる場合があり、
既に開花している切り花に本発明を適用すると、開花期間が延び、さらに花びらの開花の角度がより大きくなる場合がある。
本発明の上述の効果を、切り花の開花補強効果という。
【００１６】
〔切り花の開花補強方法〕
本発明の切り花の開花補強方法（以下、開花補強方法ともいう）は、開放系において、切り花を、アースされている水と接触させる工程を含む。
【００１７】
開花補強方法において、開放系とは、切り花を水と接触させる際に、切り花の周囲及び切り花と接触する水に対して、切り花及び水に向けた電圧の印加等により機械的に電磁気的刺激を供給していない、あるいは、当該電磁気的刺激の供給によって発生した電子やイオンが切り花に実質的な後述する開花補強効果を与えていない環境であることをいう。
【００１８】
本発明における開放系では、切り花の置かれる住・作業環境全体の消臭、静電気防止、防虫等の目的でイオン等が供給されていてもよく、水と接触する切り花の寿命を延ばすために、水中に公知の界面活性剤や電解質等を含めてもよく、あるいは、必要に応じて小型の磁石や電池等が水の中や切り花の近傍に置かれてあってもよい。
【００１９】
従って、本発明では、切り花が観賞用の透明なケース内にある場合、防虫、安全等確保のためにメッシュ状のケース内にある場合であっても、ケースが後述する導電部の機能を有する場合や、ケースが切り花及び水に向けた電磁的刺激を供給する目的のものでない場合は、開放系に含める。
【００２０】
開花補強方法では、切り花は、茎がカットされていたり、枝がカットされていたりしており、その切口が水と接触していることが好ましい。以下では、切り花及びその切り口と水を接触する際の説明は、切り花及びその切り口とをまとめて切り花という。
【００２１】
切り花は、容器に充填された水に浸漬されていてもよく、水を含浸したスポンジ等の保水シートから供給される水に接触していてもよい。
【００２２】
切り花は、剱山等の切り花の固定具に固定させた状態で水と接触させてもよい。
【００２３】
切り花と接触する水のアースは、例えば、以下のような態様が考えられる。
なお、以下では、大地及びアース用端子をまとめてアース用端子等という。
【００２４】
（アース態様例１）
例えば図１のように、導線（７）の一端（７１）を水（２）に接触させ、導線（７）の他端（７２）をアース用端子（１０）等に接続する。
【００２５】
（アース態様例２）
例えば図２のように、切り花（１）の固定具（例えば、剣山（６Ｈ）を導体で構成し、当該固定具に導線の一端（７１）を接続して、導線の他端（７２）をアース用端子（１０）等に接続する。
【００２６】
（アース態様例３）
アース操作の簡易性の観点から、充填した水と接触できるように容器の一部又は全体を導体で構成し、導体と導線を接続し、導線を経由して外部にアースできるようにしておく。
この場合、導線を経由して外部にアースする態様として、例えば、以下が例示できる。
【００２７】
（１）例えば図３及び５のように、導線（７）の一端（７１）を導体（４又は４３）に接続し、導線（７）の他端（７２）をアース用端子等に接続する。
（２）例えば図４及び６のように、導線（７）の一端（７１）が容器を構成する導体（５）（５ｂ）と一体となって導体の一部を構成し、導線（７）の他端（７２）をアース用端子等に接続する。
【００２８】
〔切り花の開花補強装置〕
開花補強方法に使用できる本発明の切り花の開花補強装置（以下、開花補強装置ともいう）は、切り花と接触させるための水の供給部（以下、水供給部という）と、当該水をアースするためのアース部（以下、アース部という）とを備える。
【００２９】
水供給部は、例えば以下の態様が例示できる。
（水供給部例１）
水供給部として、切り花を浸漬できる水を充填するための水槽が好適である。
【００３０】
水槽は、例えば、切り花（１）が接触する水（２）の充填層内が、
図１、２、７及び１１のように、導体が構成されていない水槽（３）又は小型水槽（３ａ）、
図３、４及び１０のように、一部が導体（５）で構成されている水槽（３）、
図５〜７及び図８〜９のように、ほぼ全体が導体で構成されている導体水槽（５ｂ）が挙げられる。
【００３１】
水槽は、浸漬する切り花のサイズ及び本数に応じた間口と深さを設計することができる。
以下では、容量の単位であるリットルをＬで表示する。
【００３２】
商品として切り花を在庫管理する場合は、水槽の容量は、好ましくは１〜５００Ｌ、より好ましくは５〜２００Ｌ、更に好ましくは１０〜１００Ｌ、更に好ましくは１０〜５０Ｌである。市販のバケツの内壁形態が５〜５０Ｌ程度の容量であり、市販のバスタブの内壁形態が１００〜５００Ｌ程度の容量である。
【００３３】
装飾として切り花を維持管理する場合は、水槽の容量は、好ましくは０．１〜１０Ｌ、より好ましくは０．２〜５Ｌ、更に好ましくは０．５〜２Ｌである。市販の花瓶の内壁形態が前述の好適容量の程度である。
【００３４】
（水供給部例２）
水供給部を、切り花と水の接触する水接触部と、水接触部に水を供給する水溜部とから構成することもできる。
【００３５】
例えば図７のように、水接触部は、切り花の切り口等の切り花の吸水部分が水に接触できるだけのできるだけ小さな容量の小型水槽（３ａ）、又は、スポンジ等の保水シートで構成することができる。
小型水槽（３ａ）中の水又は保水材に含浸される水が不足しないように、小型水槽（３ａ）又は保水シートには、水溜部（４）から水が供給される。
水溜部（４）は、水（２）を充填した導体大型水槽（５ｃ）又は上水道に接続した、流量の調節機構を備える連通管（５ｄ）を通して少量ずつ小型水槽（３ａ）又は保水シートに水（２）を供給できるように構成してもよい。
【００３６】
水接触部の水と水溜部の水は連通していて、水全体のどこかが、水接触部又は水溜部を構成する導体と接触し、その導体がアース部と接続できるように構成されていることが好ましい。
【００３７】
図７では、小型水槽（３ａ）と導体大型水槽（５ｃ）とが導体連通管（５ｄ）で連結され、導体大型水槽（５ｃ）とが導体連通管（５ｄ）の全体が導体で構成されている。
【００３８】
以下では、水槽、小型水槽及び水溜部をまとめて水槽等という場合がある。
【００３９】
（水供給部の形態例）
水供給部において、水を充填する水槽等は、強度、耐腐食性の観点から、プラスチック、ガラス・陶器等のセラミックス、金属等の成形体が好ましい。
【００４０】
装飾として切り花を維持管理する場合は、
水槽全体が、所望のデザインの花瓶形状に成形されていてもよいし（例えば、図８）、
水槽全体が、半球形、直方体等の簡易な形状に成形され、所望のデザインの花瓶に内挿できるように、水槽と花瓶を組合せて水供給部として構成されていてもよい（例えば、図９）。
【００４１】
図８では、花瓶として使用できる全体が導体で構成される導体水槽（５ｂ）が水供給部を構成し、
図９では、花瓶としての外観を有し一部が導体（５）で構成される水槽（３）に、全体が導体で構成される導体水槽（５ｂ）を内挿したときに、水槽（３）の導体（５）部と導体水槽（５ｂ）とが接触するように構成されている。
【００４２】
アース部は、水と接触する導体部、導体部とアース用端子等とを接続する導線部とを備えることが好ましい。
【００４３】
導体部は、例えば、以下のような態様が例示できる。
（導体部例１）
例えば図３〜１０に示すように、水槽等の一部又は全体を導体で構成して導体部とすることができる。
【００４４】
（導体部例２）
例えば図２及び１１に示すように、水槽等に充填された水の中に、塊状の導体を設置して導体部とすることができる。
塊状の導体は、金属等の水よりも比重の大きい材質で構成し、水中に静置しただけで水槽等の内壁と安定して接触できるプレート、球、楕円体等の形態であることが好ましく、浸漬する水槽等の容量に比べて体積が小さいことが好ましい。
【００４５】
例えば図２及び１１では、水槽（３）の底部に鉄製の剣山（５ａ）又は楕円体のプレート（５ｅ）が導体として沈められていて、導線（７）の一端（７１）が接続している。剣山（５ａ）の場合は、切り花（１）が剣山（５ａ）に突き刺されて固定される。
【００４６】
（導体部例３）
図１に示すように、導線の一端を導体部として、その導体部を、水槽等に充填された水の中に浸漬してもよい。この場合、導体部が安定して水の中に浸漬されるように、導体部は金属等の水よりも比重の大きい材質で構成し、水中に静置しただけで水槽等の内壁と安定して接触できるプレート、球、楕円体等の形態であることが好ましく、浸漬する水槽等の容量に比べて体積が小さいことが好ましい。
【００４７】
例えば図１では、導線（７）の一端（７１）が球状になっていて水槽（３）の底部に沈んでいる。
【００４８】
アース部は、例えば以下の態様が例示できる。
（アース部例１：導体部−導線部接続型）
【００４９】
（１）導体部例１及び２の場合で、線状の導線部を導体部に付け外し自在に巻き付けることができるようにして、アース部を構成する。
この場合、導体部は、
導体部例１では水槽等の内部又は外部に突起状に形成されていることが好ましく、
導体部例２では導線の巻き易さの観点から、棒状であることが好ましく、両端が膨らんだダンベル型であることがより好ましく、それぞれの場合において導線の一端を巻き付ける又は固定させるための小孔を設けておくことが更に好ましい。
【００５０】
（２）導体部例１及び２の場合で、導線部の一端及び／又は導体部を磁石等の強磁性体で構成して、導線部の一端と導体部を磁力で付け外し自在に接続できるようにして、アース部を構成する。
【００５１】
（３）導体部例１及び２の場合で、例えば図３、５及び７〜１０で示すように、導線（７）部の一端（７１）を差込みプラグ（８１）とし、導体部をプラグ受け（９１）とし、両者を抜き差し自在に接続できるようにして、アース部を構成する。
【００５２】
（４）例えば、図１０に示すように、水槽（３）の側面及び／又は底部を導体（５１）で構成し導体部とし、水槽（３）の側面及び／又は底部に接触できる導線端部（５２Ｅ）とプラグ受け（９１）を有する導体（５２）が配置されたプレート（６）又は容器を構成すると、水槽（３）の導体（５１）部を当該プレート上又は容器内に置いて導線端部（５２Ｅ）と接触させ、プラグ受け（９１）に導線の一端に構成される差込みプラグ（８１）を抜き差し自在に接続することでアース部が形成される。
【００５３】
この場合、導線端部（５２Ｅ）は突起状の塊状物でもよく、プレート又は容器自体を水槽（３）の側面及び／又は底部に接触できる導体プレート又は導体容器としてもよい。
【００５４】
アース部が導体部−導線部接続型の開花補強装置では、導体部が構成された水供給部と導線部をセットで、あるいは、それぞれ別々に販売して、使用時に接続して開花補強装置を構成することがきる。
【００５５】
（アース部例２：導体部−導線部一体型）
例えば３及び５のように、導体部と導線部の一端を予め一体に成形しておくことで、アース部を構成する。
アース部例（１）〜（４）で、導体部と導線部を一体成形してもよいし、導体部と導線部を溶接として接続を予め固定しておいてもよい。
導体部例３は、導体部−導線部一体型の例である。
【００５６】
（導線部の他端）
例えば、図１〜６及び１０〜１１のように、導線部の他端は、アース用端子等に付け外し自在に接続できるように構成しておくか、大地に直接接地できるようにしておくことが好ましい。
【００５７】
線状の導線の他端を、突起状のアース用端子に付け外し自在に巻き付けても、
導線の他端及び／又はアース用端子を強磁性体で構成して両者を付け外し自在に接続できるようにしても、あるいは、
例えば、図１〜６及び１０〜１１のように、導線の他端（７２）に差込みプラグ（８２）を、アース用端子（１０）にプラグ受け（９２）を設け、両者を抜き差し自在に接続してもよい。
【００５８】
例えば図１１のように、導線（７）を二股に分岐させ、一方の他端（７２）をアース用端子（１０）等に付け外し自在に接続できるように差込みプラグ（８２）を設け、他方の他端（７２Ｅ）を大地に直接突き刺すように成形しておいてもよい。
差込みプラグ（８２）と他方の他端（７２Ｅ）は、適宜どちらかを使用すればよく、両方同時に使用してもよい。
【００５９】
アース用端子（１０）は、大地（Ｅ）にアースされるように構成される。
【００６０】
一の導線部の両端はそれぞれ複数の端部を有してよく、例えば、導体部と接続する導線部の一端から他端に向かう導線路が二股以上に分かれて、複数の他端に分岐しそれぞれの分岐端が導体又はアース用端子に接続されてもよい。
【００６１】
我が国の家庭用コンセントは、単子の１つがアース用端子である場合が多い。
そこで、開花補強方法では、家庭用コンセントのアース用端子を使用する場合、アース用端子と接続させるための導線の他端が、家庭用コンセントのアース用端子と接続するようにする。
【００６２】
従って、家庭用コンセントのアース用端子を使用する場合、開花補強装置のアース用端子と接続させるための導線部の他端は、家庭用コンセントのアース用端子に差し込めるような差込みプラグに構成することが好ましく、この場合、差込みプラグは差込み単子を１つ又は２つを備えることが好ましい。
【００６３】
差込み単子が１つの差込みプラグの場合は、家庭用コンセントの単子から供給される電流を検出できる機能を兼備し、家庭用コンセントの電流が検出される側に差し込んだ場合は光、音又は振動等の警告信号を発して、開花補強装置の使用者が差込みプラグをアース用端子に差し変えるように誘導できるようにすることが好ましい。
【００６４】
差込み単子が２つの差込みプラグの場合は、上記と同様に、家庭用コンセントの単子から供給される電流を検出できる機能を備え、家庭用コンセントの電流が検出される単子側からの電流がカットされるような機構を備えることが好ましい。
【実施例】
【００６５】
（１）開花補強装置（実施例１：図１１を参照）
（１−１）水供給部：５００ｍｌペットボトル
（１−２）導体部：幅１．５ｃｍ、長さ１２ｃｍ、厚み１ｍｍのステンレスプレートで、プレート両端と中央付近に直径５ｍｍの小孔が設けてある。
（１−３）導線部：外径１．５ｍｍの被覆導線の一端がステンレスプレート端部の小孔に半田で固定され、被覆導線の他端は二股に分岐していて、分岐他端の一方は長さ１０ｃｍ、直径１ｍｍのステンレス棒に半田で固定され、分岐他端の他の一方は長さ１．５ｃｍ、直径１．５ｍｍの差込みプラグに半田で工程されて、導線部を形成する。
（１−４）アース部：上述したように、導体部と導線部とが半田で固定され一体化してアース部を形成している。実施例１では、差込みプラグを、家庭用コンセントのアース用プラグ受けに接続してアースした。
（１−５）切り花：市販の開花前のユリを使用した。
（１−６）水：水道水を使用した。
【００６６】
（２）開花補強方法
【００６７】
（１−１）当初試験系
２つのペットボトル（水供給部）にそれぞれに水を約５００ｍｌ充填し、充填した水の中に、茎の端部をはさみで切断した開花前のユリを１輪ずつ、切り口が水と接触するように浸漬し、端部の切り口が充填した水に接触したユリを１輪さした当初試験系を２組用意した。
【００６８】
（１−２）実施試験系１及び比較試験系１
１組の当初試験系の水の中に導体部のステンレスプレートを浸漬し、水供給部とアース部を備える開花補強装置を構成した実施試験系１とした。
他の１組の当初試験系には、開花補強装置は適用せず、当初の構成のままの比較試験系１とした。
【００６９】
実施試験系１及び比較試験系１を、マンションの１室でエアコンをかけない室温の環境に、２０１５年３月１９日から２０１５年４月１２日まで静置して、開花の状態を観察し、前者を実施例２、後者を比較例２とした。
【００７０】
（３）試験結果
（３−１）実施試験系１及び比較試験系１の対比
２０１５年３月１９日には、ユリはどちらも開花していなかった（図１２）。
２０１５年４月６日には、どちらも開花していたが（図１３）、
実施試験系１のユリは開花の角度が大きく花開き、花粉の落下がほとんどないのに対して（図１４）、
比較試験系１のユリは開花の角度が小さく、花粉の落下量が多かった（図１５）。
２０１５年４月１２日には、どちらも開花していたが、
比較試験系１のユリに比べ、実施試験系１のユリは残った花弁が多く、花粉部の形が４月６日と変わらず、花粉の落下もほとんどなかった（図１６）。比較試験系１のユリは花粉部の形が崩れ、花粉が多く落下していた。
【符号の説明】
【００７１】
１      切り花
２      水
３      水槽
３ａ    小型水槽
４      水溜部
５      導体
５ａ    剣山
５ｂ    導体水槽
５ｃ    導体大型水槽
５ｄ    導体連通管
５１    水槽（３）の底部の導体
５２Ｅ  導体（５１）に接触する導線端部
５２    導線端部（５２Ｅ）を有する導体
６      導体（５２）を備えるプレート
７      導線
７１    導線（７）の一端
７２    導線（７）の他の一端
７２Ｅ  大地に直接設置するための導線（７）の他の一端
８１    導線（７）の一端（７１）に設けられる差込みプラグ
８２    導線（７）の他の一端（７２）に設けられる差込みプラグ
９１    差込みプラグ（８１）の受けプラグ
１０    アース用端子
９２    アース用端子（１０）に設けられる、差込みプラグ（８２）の受けプラグ
Ｅ      大地
【図１】
0006569039.tif 000002
【図２】
0006569039.tif 000003
【図３】
0006569039.tif 000004
【図４】
0006569039.tif 000005
【図５】
0006569039.tif 000006
【図６】
0006569039.tif 000007
【図７】
0006569039.tif 000008
【図８】
0006569039.tif 000009
【図９】
0006569039.tif 000010
【図１０】
0006569039.tif 000011
【図１１】
0006569039.tif 000012
【図１２】
0006569039.tif 000013
【図１３】
0006569039.tif 000014
【図１４】
0006569039.tif 000015
【図１５】
0006569039.tif 000016
【図１６】
0006569039.tif 000017